(57)【特許請求の範囲】
【請求項１】
ケースと、前記ケース内に入る格納状態とケース外へ先端側フック部を突出した使用状態とに切り換えられるフック部材と、前記ケース又は前記フック部材に移動可能に組み付けられ前記フック部との間に閉ループ空間を形成して該フック部に吊り下げられる物品類の抜けを防ぐ脱落防止用カバー部材とを備えた格納式フック装置において、
前記フック部材は、前記ケースに上側を支点として回動可能に組み付けられており、
前記カバー部材は、常時は付勢手段の付勢力を利用して前記閉ループ空間を形成する閉位置に保持されると共に、前記使用状態では前記フック部への物品類の取り付けと取り外しに際し、前記フック部と対向している対応部が物品類を介して前記閉ループ空間の外側又は内側から押圧操作されることにより、前記閉位置からその各押圧方向へそれぞれ自動復帰可能に移動されることを特徴とする格納式フック装置。
【請求項２】
前記付勢手段は、前記フック部材と前記カバー部材との間に設けられており、前記カバー部材を前記閉位置に保持するための保持力と共に、前記カバー部材を前記閉ループ空間の外側又は内側から押圧して移動したときに前記閉位置にそれぞれ復帰するための復帰力として作用することを特徴とする請求項１に記載の格納式フック装置。
【請求項３】
前記カバー部材は、前記ケース又は前記フック部材に回動可能に組み付けられていることを特徴とする請求項１又は２に記載の格納式フック装置。
【請求項４】
前記フック部材及び前記カバー部材は、互いに当接する座をそれぞれ有し、前記カバー部材が前記閉ループ空間の外側又は内側から押圧移動されたとき前記両座の当接角が変化することを特徴とする請求項１から３の何れかに記載の格納式フック装置。
【請求項５】
前記フック部材及び前記カバー部材の少なくとも一方は、前記座を前記付勢手段の付勢力に抗して摺動する摺動手段を有していることを特徴とする請求項４に記載の格納式フック装置。
【請求項６】
前記ケース及び前記フック部材は、前記フック部材の格納状態と使用状態とを保持するため互いに係脱する係合部及び被係合部の一方をそれぞれ有しており、前記カバー部材の押圧操作が前記係合部と前記被係合部との係合状態で行われることを特徴とする請求項１から５の何れかに記載の格納式フック装置。
【発明の詳細な説明】
【技術分野】
【０００１】
本発明は、自動車等の乗物に好適なフック装置のうち、不使用時にケースに格納しておき、使用する際に外へ突出してハンガーや袋状物等の各種物品類を掛け止める格納式フック装置に関する。
【背景技術】
【０００２】
従来の格納式フック装置には、特許文献１に開示されているように、ケースと、該ケース内に入る格納状態と先端側フック部をケース外へ突出した使用状態とに回動切り換えられるフック部材と、ケース又はフック部材に移動可能に組み付けられフック部との間に閉ループ空間を形成して該フック部に掛け止めされる物品類の抜けを防ぐ脱落防止用カバー部材とを備え、物品類がフック部に吊り下げられた状態で、上下に振動してもカバー部材により脱落しないようにした構造がある。
【０００３】
ところで、以上のカバー部材は、ばね部材によりフック部から離れる方向に付勢されていると共に、ばね部材の付勢力に抗しフック部上に配置して係合手段により保持される（以下、これを第１構造という）か、ばね部材によりフック部と当接される方向に付勢されて、該ばね部材の付勢圧に抗しフック部から離間操作される（以下、これを第２構造）かの何れかである。第１構造では、カバー部材がフック部材から離れている通常状態で物品類を吊り下げ、その後、カバー部材がばね部材の付勢力に抗しフック部上に押し下げられて係合手段を介して閉ループを保つ。第２構造では、カバー部材が付勢力で閉ループを保つため前記のような係合手段を省略でき、カバー部材を付勢力に抗してフック部材から持ち上げて離した状態で物品類をフック部に吊り下げた後、カバー部材の持ち上げを解放することになる。
【特許文献１】特開２００２−２６４７２９号公報
【発明の開示】
【発明が解決しようとする課題】
【０００４】
上記従来フック装置では、フック部材と共にカバー部材を有しているため、フック部に吊り下げられた物品類が走行振動で上下に揺れて、フック部から物品類の被取付部が浮き上がってもカバー部材に当たって不用意な抜けを阻止できる点から優れているが、次のように操作性が未だ満足できなかった。すなわち、第１構造では、物品類を取り付けたり取り外す場合、物品類をフック部に吊り下げたり外す操作と、カバー部材を係合手段によりフック部側に係脱する操作とが必須となりワンタッチ操作が不可能である。また、第２構造では、カバー部材を付勢力に抗してフック部材から離間した状態を保って、物品類をフック部に吊り下げたり外さなくてはならず、ワンタッチ操作性に欠けると共に片手操作が不可能である。
【０００５】
本発明の目的は、上記したような課題を解消して、フック部材及びカバー部材を有した格納式フック装置において、物品類の取り付け（吊り下げ）と取り外しを片手操作かつワンタッチで行えるようにし、それにより使い勝って及び商品価値を向上することにある。他の目的は、以下に説明する内容の中で順次明らかにして行く。
【課題を解決するための手段】
【０００６】
上記目的を達成するために本発明は、図面に例示されるごとくケースと、前記ケース内に入る格納状態とケース外へ先端側フック部を突出した使用状態とに切り換えられるフック部材と、前記ケース又は前記フック部材に移動可能に組み付けられ前記フック部との間に閉ループ空間を形成して該フック部に吊り下げられる物品類の抜けを防ぐ脱落防止用カバー部材とを備えた格納式フック装置において、前記フック部材は、前記ケースに上側を支点として回動可能に組み付けられており、前記カバー部材は、常時は付勢手段の付勢力を利用して前記閉ループ空間を形成する閉位置に保持されると共に、前記使用状態では前記フック部への物品類の取り付けと取り外しに際し、前記フック部と対向している対応部が物品類を介して前記閉ループ空間の外側又は内側から押圧操作されることにより、前記閉位置からその各押圧方向へそれぞれ自動復帰可能に移動されることを特徴としている。
【０００７】
上記した本発明の格納式フック装置は次のように具体化されることがより好ましい。
（ア）請求項１において、前記付勢手段は、前記フック部材と前記カバー部材との間に設けられており、前記カバー部材を前記閉位置に保持するための保持力と共に、前記カバー部材を前記閉ループ空間の外側又は内側から押圧して移動したときに前記閉位置にそれぞれ復帰するための復帰力として作用する構成である（請求項２）。
（イ）請求項１又は２において、前記カバー部材は前記ケース又は前記フック部材に回動可能に組み付けられている構成である（請求項３）。
【０００８】
（ウ）請求項１から３の何れかにおいて、前記フック部材及び前記カバー部材は、互いに当接する座をそれぞれ有し、前記カバー部材が前記閉ループ空間の外側又は内側から押圧移動されたときに前記両座の当接角が変化する構成である（請求項４）。
（エ）請求項４において、前記フック部材及び前記カバー部材の少なくとも一方は、前記座を前記付勢手段の付勢力に抗して摺動する摺動手段を有している構成である（請求項５）。
（オ）請求項１から５の何れかにおいて、前記ケース及び前記フック部材は、前記フック部材の格納状態と使用状態とを保持するため互いに係脱する係合部及び被係合部の一方をそれぞれ有しており、前記カバー部材の押圧操作が前記係合部と前記被係合部との係合状態で行われる構成である（請求項６）。
【発明の効果】
【０００９】
請求項１の発明では、例えば、フック部材がケースに対し上側を支点として回動可能、つまり振り子状に回動されため、下側を支点として回動するタイプに比べ格納状態から使用状態に切り換えるフック部材の回動量ないしはケースからの突出量を抑え安全性を向上できる。また、カバー部材が図２や図３に例示されるごく押圧操作されない限りフック部材のフック部上に接近した閉位置に保持されているため外観特性を良好に維持できる。また、図５及び図６に示されるごとく物品類の取り付けに際しては物品類をカバー部材の対応部に外から押し当てると、カバー部材がその押し方向へ復帰可能に移動するため物品類（の被取付部）を片手かつワンタッチ操作でフック部に取り付けることができる。同様に、物品類の取り外しに際しては物品類をカバー部材の対応部に内側から押し当てると、カバー部材がその押し方向へ復帰可能に移動するため物品類（の被取付部）を片手かつワンタッチ操作でフック部から外すことができる。従って、本発明のフック装置は、特許文献１のカバー部材を有した利点に加え、外観特性及び物品類の取り付け取り外し操作性を向上できる。
【００１０】
請求項２の発明では、カバー部材を閉位置に保持するための保持力と、カバー部材を外側又は内側から押圧して移動したときに閉位置にそれぞれ復帰するための復帰力とを同じ付勢手段にて実現し、それにより部材数を少なくして簡略化できる。
【００１１】
請求項３の発明は、カバー部材はケース又はフック部材に回動可能に組み付けられている点を確認的に特定したものである。
【００１２】
請求項４の発明では、例えば、図５及び図６に例示されるごとくカバー部材が閉ループ空間の外側又は内側から押圧移動されたときにフック部材側の座とカバー部材側の座とが異なる角度で当接することで、カバー部材を同じ付勢手段でそれぞれ復帰可能にし易くできる。更に、請求項５の発明では、フック部材及びカバー部材の少なくとも一方が前記座を付勢手段の付勢力に抗して摺動する摺動手段（例えば、図１及び図２の摺動部材及びその関連部）を有しているため、フック部材とカバー部材とを作動連結し易くなり設計自由度を拡大できる。
【００１３】
請求項６の発明では、例えば、フック部材が格納状態と使用状態でそれぞれ係合部と被係合部との係合により確実に保持されると共に、形態例のような使い勝手の良い切り換えが可能となる。
【発明を実施するための最良の形態】
【００１４】
以下、本発明の実施の形態を図面に基づいて説明する。図１は本発明を適用した格納式フック装置の構成部材を示し、図２と図３はフック部材の格納状態と使用状態を示し、図４〜図６は物品類を吊したり外すときの操作例を示している。以下の説明では、概要、装置構造、組立、作動の順に述べる。
【００１５】
（概要）形態例のフック装置８は、例えば、自動車の車室を区画形成している車室壁に取り付けられて、衣服や袋等の物品類を吊り下げるものである。構成部材は、図１に示されるごとくに、ケース１と、ケース１内に入る格納状態とケース外へ先端側を突出した使用状態とに切り換えられるフック部材２と、ケース１又はフック部材２に移動可能に組み付けられてフック部材２に吊り下げられる物品類の被取付部Ｎの抜けを防ぐカバー部材３と、フック部材２及びカバー部材３の少なくとも一方に摺動可能に組み付けられる摺動手段である摺動部材４と、カバー部材３を摺動部材４を介して付勢する付勢手段であるコイルばね５と、枢支用シャフト６と、ケース１を縁取りする縁取部材７とからなる。構造特徴は、図２と図３のごとくケース１に移動可能に組み付けられたフック部材２と共に脱落防止用カバー部材３を備えた格納式フック装置８において、カバー部材３は、シャフト６により枢支されてフック部材２の先端側フック部２２との間に閉ループ空間Ｍを形成するよう設けられている。そして、カバー部材３は、常時はコイルばね５の付勢力を利用して閉ループ空間Ｍを形成する閉位置に保持されると共に、使用状態ではフック部２２への物品類の被取付部Ｎの取り付けと取り外しに際し、フック部２２と対向しているカバー部材３の対応部が物品類の被取付部Ｎを介して閉ループ空間Ｍの外側又は内側から押圧操作されることにより、閉ループ空間Ｍを形成する閉位置からその各押圧方向へそれぞれ自動復帰可能に移動される。なお、被取付部Ｎは、例えば、物品類が衣服であれば衣服側の取付箇所や衣服に使用されるハンガーのフック部、物品類が袋であれば袋側の取付箇所などが対応している。
【００１６】
（装置構造）ケース１、フック部材２、カバー部材３、摺動部材４、縁取部材７は樹脂成形体からなる。但し、材質は樹脂以外でもよい。このうち、ケース１は、上下壁１０，１１、両側壁１２，１２、背壁１４で区画された前開口した矩形容器状をなしている。上下壁１０，１１には孔１３ａ付の支持壁部１３が前側に突設されている。上壁１０は取付壁部１３の後側に設けられた比較的大きな開口を有している。下壁１１は、図３のごとく内面の略中央部に設けられた凹状係合部１１ａと、係合部１１ａより前側に設けられた小さなスリット１１ｂを有している。両側の各側壁１２には、前側の左右外面に張出部１５が設けられ、又、上側に軸孔１２ａが対向して設けられると共に、その下側にあって側縁の上下部に係止穴１２ｂが対向して設けられている。背壁１４には、内面の略中央部に凹状係合部１１ａと類似する凹状係合部１４ａが設けられている。この係合部１４ａは板幅方向の溝状となっている。各張出部１５には、背面側に突出されてねじ等を内空間から後方に向かって通す孔付きの取付部１５ａ，１５ｂと、上側の取付部１５ａの後面に突出されている位置決め用ボス部１６と、張出部１５と側壁１２との間に貫通されたスリット状係合孔１７，１７とが設けられている。背壁１４には、内面の略中央付近に凹状係合部１４ａが横方向に設けられている。
【００１７】
以上のケース１には縁取部材７が各部材を組み込んだ後に装着される。縁取部材７は、ケース前開口を縁取る枠状をなし、背面の両側に上下２段に突設された複数（この例では４つ）の係止片１９と、背面の上下部に突設された係合軸部１８とを有している。係止片１９には、先端外側へ突出された爪９ａと、基端内側に突出されたリブ１９ｂとが設けられている。
【００１８】
フック部材２は、ケース１内にシャフト６を介し組み付けられる取付板部２０と、取付板部２０の下端後方に連設されて取付板部２０と間隔を保っている連結板部２１と、取付板部２０の下端から前側に設けられた先端側フック部２２とからなる。取付板部２０には軸孔１２ａに対応した軸孔２３が上端板幅方向に貫通形成されている。連結板部２１は、取付板部２０下端に接続されている水平板及び該水平板の後端から立ち上がった垂直板からなり、板幅中間の下側に一体化された補強部２４と、前記垂直板の上側内面に突設されて全体が筒状に配された複数の支持部２５と、前記垂直板の背面中央に突設された係合突起２７及び背面上両側に突設された係合爪２８，２８とを有している。各支持部２５は、スリット２６により区画されていると共に、基端側に設けられた規制穴２９を有している。係合突起２７及び係合爪２８は本発明の被係合部である。
【００１９】
カバー部材３は、前側のカバー部３０と、カバー部３０の背面両側から後方へ突出された一対の取付部３１と、両取付部３１の後端に結合された状態に設けられた座３２とからなる。カバー部３０は、図２のごとくフック部材２のフック部２２と共にケース１の前開口をほぼ塞ぐ矩形板状となっていると共に、図５と図６のごとくフック部２２との間に閉ループ空間Ｍを形成して該フック部２２に吊り下げられる物品類の被取付部Ｎの抜けを防ぐ。各取付部３１は、フック部材側取付板部２０の上側を挿通可能な間隔を保っていると共に、同軸線上に貫通形成されて軸孔２３と重なる孔３３を有している。座３２は、上下寸法がカバー部３０より小さな矩形板状に形成されている。
【００２０】
摺動部材４は、矩形板状の座４０及び座４０の背面側に突設された複数の脚部４１とからなる。座４０は座３２より若干大きく、座３２が図２及び図３のごとく前面で接面したり、座３２が図４及び図５（ｂ）のごとく傾いて下端又は上端で当接可能となっている。脚部４１は支持部２５と同じ数だけ設けられていると共に、突出端に設けられた係止爪４２を有している。
【００２１】
（組立）以上の各部材は次のような手順例で組み立てられる。まず、摺動部材４がフック部材２に対しコイルばね５と共に組み付けられる。この操作では、コイルばね５を各支持部２５の外径側に配置した状態から、摺動部材側の各脚部４１を支持部２５同士の内側に押し込む。すると、摺動部材４は、座４０でコイルばね５を圧縮した状態で、各脚部４１が対応する支持部２５の内側に押入されると、支持部２５の内側に弾性的に圧接しながら最終的に係止爪４２を規制穴２９に嵌合する。そして、摺動部材４は、図２や図３のごとく係止爪４２が規制穴２９の前端に当たって規制されるまでコイルばね５の付勢力で前方へ摺動されていると共に、図４のごとくコイルばね５の付勢力に抗してカバー部材３により押圧されると前記嵌合状態を保って後方へ摺動される。
【００２２】
次に、以上のフック部材２は、ケース１に対しシャフト６を介してカバー部材３と共に組み付けられる。フック部材２は、取付板部２０の上側にカバー部材３を配置、つまりカバー部材３の内側に取付板部２０の上側を入れた状態でケース１内に入れる。この状態から、フック部材２及びカバー部材３は、シャフト６が軸部６ｂを一方の軸孔１２ａ、一方の孔３３、軸孔２３、他方の孔３３、他方の軸孔１２ａに挿通し、かつ軸部６ｂの先端を不図示の部材で抜け止め処理されることによりケース１に組み付けられることになる。最後に、縁取部材７は、ケース１に対し上下の係合軸部１８を対応する支持壁部１３の孔１３ａに挿入し、各係止片１９を対応する係合孔１７に挿入されることで一体化される。即ち、各係止片１９は、爪１９ａが係合孔１７に係合し、リブ１９ｂが係止穴１２ｂに係合した状態で抜け止めされる。
【００２３】
なお、シャフト６は、径大の頭部６ａ及び軸部６ｂを有していると共に、軸部６ｂの先端が抜止用ナット等を係合するタイプか、抜止用Ｅリング等を係合する係合溝タイプのものが好適である。また、この例では、フック部材２とカバー部材３を共通のシャフト６によりケース１に枢支することで部材数を少なくしたり組立性を良好にしているが、フック部材２及びカバー部材３はケース１に対し独立に枢支されるようにしてもよい。
【００２４】
（作動）以上の組み立てられたフック装置８の使用要領と共に動作特徴を明らかにする。
（ア）図２はフック部材２がケース１内に収容された格納状態を示している。この格納状態において、フック部材２は、連結板部２１がコイルばね５の付勢力を受けてケース背壁１４の内側に対向配置され、かつ、係合突起２７が凹状係合部１４ａに係合されている。カバー部材３は、上側がシャフト６で枢支された状態で、座３２がコイルばね５の付勢力で前方へ摺動された摺動部材４の座４０と面当接された態様で全体が軽く前方へ押され、それによりカバー部３０がケース１の前開口のうち、フック部２２より上側の開口部を塞いでいる。
【００２５】
（イ）図３はフック部材２がフック部２２をケース１外へ突出した使用状態を示している。すなわち、この使用状態への切換操作では、操作者が図４（ａ）のごとく指９をカバー部材側のカバー部３０を外側からコイルばね５の付勢力に抗して押すと、カバー部材３がシャフト６を支点として取付板部２０に当たるまで回動されるため、更に指９をフック部２２に引っ掛け、フック部２２を図４（ｂ）のごとくケース開口から引き出した後、指９を外す。すると、フック部材２は、シャフト６を支点として振り子状に回動されてフック部２２がケース内からケース外へ移動され、同時に係合突起２７が係合部１４ａから係合解除された後、ケース底壁側の凹状係合部１１ａに係合されると共に、係合爪２８，２８が凹状係合部１４ａに係合される。また、指９をフック部２２から外すと、カバー部材３が図５（ａ）のごとくその座３２がコイルばね５の付勢力で前方へ摺動された摺動部材４の座４０と面当接された態様で全体が軽く前方へ押され、それによりカバー部３０がフック部２２との間に閉ループ空間Ｍを形成する。フック部材２は、係合突起２７と係合部１１ａの係合、係合爪２８，２８と係合部１４ａの係合状態で、連結板部２１がコイルばね５の斜め下向きの付勢力を受けた状態で安定保持されている。
【００２６】
（ウ）図５（ｂ）は使用状態にあるフック部材２に物品類の被取付部Ｎを引っ掛けるまでの過程を示している。すなわち、操作者は、物品類の被取付部Ｎを図５（ａ）の閉位置にあるカバー部材側カバー部３０に外側から押し当てると、カバー部材３が図４の場合と同様にコイルばね５の付勢力に抗して図５（ｂ）のごとくシャフト６を支点として奥側へ回動されてフック部２２との間に隙間を形成するため、物品類の被取付部Ｎを同図のごとく離してフック部２２に引っ掛ける。カバー部材３は、物品類の被取付部Ｎがカバー部３０から離れると、座３２が座４０を介してコイルばね５の付勢力で元の閉位置まで回動される。図６（ａ）はそのようにして物品類が被取付部Ｎを介してカバー部３０に取り付けられた状態を示している。このフック装置８では、カバー部材３がコイルばね５の付勢力に抗して押圧操作されない限りフック部材側フック部２２上に接近した閉位置に保持されていることから外観特性を良好に維持でき、また、物品類の被取付部Ｎが上下方向の振動を受けてフック部２２から瞬間的に浮き上がってもカバー部３０の存在によりフック部２２から不用意に外れるという虞を確実に阻止できる。
【００２７】
（エ）図６（ｂ）は物品類の被取付部Ｎをフック部２２から外すまでの過程を示している。すなわち、操作者は、物品類の被取付部Ｎを持ち上げるようにして、カバー部材側カバー部３０に内から外側へ押し当てると、カバー部材３が図５（ｂ）の場合と同様にコイルばね５の付勢力に抗してシャフト６を支点として外側へ回動されてフック部２２との間に隙間を形成するため、物品類の被取付部Ｎを図６（ｂ）のごとく該隙間から外へ移動することになる。なお、カバー部材３は、物品類の被取付部Ｎがカバー部３０から離れると、座３２が座４０を介してコイルばね５の付勢力で元の閉位置まで回動される。このため、このフック装置８では、上記したように物品類の取り付けに際しては物品類の被取付部Ｎをカバー部３０に外から押し当てると、カバー部材３がその押し方向へコイルばね５及び座３２と座４０の当接を介して復帰可能に移動するため物品類の被取付部Ｎを片手かつワンタッチ操作でフック部２２に取り付けることができる。同時に、同様に、物品類の取り外しに際しては物品類をカバー部材側カバー部３０に内側から押し当てると、カバー部材３がその押し方向へコイルばね５及び座３２と座４０の当接を介して復帰可能に移動するため物品類の被取付部Ｎを片手かつワンタッチ操作でフック部から外すことができる。なお、その後は、再び図５（ａ）の状態となる。フック部２２をケース側へ押すと上記図２の格納状態となる。
【００２８】
なお、本発明のフック装置は、上記した形態に何ら制約されることなく、請求項１で特定された要件を除いて適宜に変更可能なものである。
【図面の簡単な説明】
【００２９】
【図１】発明形態の格納式フック装置の構成を示す分解構成図である。
【図２】（ａ）と（ｂ）は図１のフック装置を格納状態で示す外観図と断面図である。
【図３】（ａ）と（ｂ）は図１のフック装置を使用状態で示す外観図と断面図である。
【図４】（ａ）と（ｂ）はフック部材を格納状態から使用状態に切り換えるときの操作を示す断面図である。
【図５】（ａ）と（ｂ）は物品類を吊り下げるときの操作を示す断面図である。
【図６】（ａ）と（ｂ）は物品類を外すときの操作を示す断面図である。
【符号の説明】
【００３０】
１…ケース（１２ａは軸孔、１７は係合孔）
２…フック部材（２０は取付板部、２１は連結板部、２２はフック部）
３…カバー部材（３０はカバー部、３１は取付部、３２は座）
４…摺動部材（摺動手段、４０は座、４１は脚部、４２は爪）
５…コイルばね（付勢手段）
７…縁取部材
８…フック装置
Ｍ…閉ループ空間  
Ｎ…物品類の被取付部
【図１】
0005038195.tif 000002
【図２】
0005038195.tif 000003
【図３】
0005038195.tif 000004
【図４】
0005038195.tif 000005
【図５】
0005038195.tif 000006
【図６】
0005038195.tif 000007